(57)【要約】【課題】良好な多孔質保護層を形成することができ、従来に比べてライトオフタイムの短縮と信頼性の向上を図ることのできるガスセンサ素子及びその製造方法並びにガスセンサを提供する。【解決手段】積層体Ａの先端側からスプレー装置７０１によってスプレーし、次に積層体Ａを回転させつつ側方からスプレーして積層体Ａに多孔質保護層をとなるコート液（セラミック原料粉末を揮発性溶媒中に分散させたもの）を被着させ、この後、熱処理する。【選択図】図６
2010164591.tif 000002
【特許請求の範囲】
【請求項１】
被測定ガス中の所定ガスの濃度に応じて電気的特性が変化するガスセンサ素子本体と、このガスセンサ素子本体を加熱するためのヒータとを積層させた軸線方向に延びる板状の積層体を有し、この積層体のうち少なくとも前記被測定ガスと接触することとなる先端面及び側周面を覆うように多孔質保護層が形成されたガスセンサ素子の製造方法であって、
セラミック原料粉末を揮発性溶媒中に分散させたコート液を前記積層体にスプレーして未処理多孔質保護層を形成するスプレー工程と、
この未処理多孔質保護層が形成された前記積層体を熱処理し、多孔質保護層を形成する熱処理工程とを含むことを特徴とするガスセンサ素子の製造方法。
【請求項２】
前記揮発性溶媒に、エタノール及びメタノールの少なくともいずれか一方が含まれていることを特徴とする請求項１記載のガスセンサ素子の製造方法。
【請求項３】
前記スプレー工程では、前記積層体が軸線を中心として回転しつつ、前記積層体から所定間隔離れた位置から前記積層体の前記側周面に向かって一方向にスプレーを行うことを特徴とする請求項１又は２記載のガスセンサ素子の製造方法。
【請求項４】
前記スプレー工程は、前記積層体の先端面に向かってスプレーを行う第１スプレー工程と、第１スプレー工程の後、前記積層体の側周面に向かってスプレーを行う第２スプレー工程を有することを特徴とする請求項１又は２記載のガスセンサ素子の製造方法。
【請求項５】
前記スプレー工程では、前記積層体が軸線を中心として回転しつつ、前記積層体から所定間隔離れた位置から前記積層体の前記先端面及び前記側周面に向かって一方向にスプレーを行うことを特徴とする請求項１又は２記載のガスセンサ素子の製造方法。
【請求項６】
前記スプレー工程では、前回までのスプレー工程時に前記多孔質保護層の形成部位に付着しなかったセラミック粉末を、前記セラミック原料粉末と共に前記揮発性溶媒中に分散させることを特徴とする請求項１〜５いずれか１項記載のガスセンサ素子の製造方法。
【請求項７】
請求項１〜６いずれか１項記載のガスセンサ素子の製造方法を用いて製造したことを特徴とするガスセンサ素子。
【請求項８】
被測定ガス中の所定ガスの濃度に応じて電気的特性が変化するガスセンサ素子本体と、このガスセンサ素子本体を加熱するためのヒータとを積層させた軸線方向に延びる板状の積層体を有し、この積層体のうち少なくとも前記被測定ガスと接触することとなる先端面及び側周面を覆うように多孔質保護層が形成されたガスセンサ素子であって、
前記多孔質保護層の厚みは、前記積層体の各角部から２０μｍ以上で、且つ該多孔質保護層の最大厚みをＡ（単位はμｍ）とし、該各角部のうち最小厚みをＢ（単位はμｍ）としたときＢ＋４００≧Ａであることを特徴とするガスセンサ素子。
【請求項９】
前記多孔質保護層の空孔率が３０％以上であることを特徴とする請求項８記載のガスセンサ素子。
【請求項１０】
前記多孔質保護層の厚みは６００μｍ未満であることを特徴とする請求項８又は９記載のガスセンサ素子。
【請求項１１】
請求項８〜１０いずれか１項記載のガスセンサ素子を、主体金具に組み込んだことを特徴とするガスセンサ。
【発明の詳細な説明】
【技術分野】
【０００１】
本発明は、測定対象ガス中の特定ガス成分の濃度を検出するためのガスセンサ素子及びその製造方法並びにガスセンサに関する。
【背景技術】
【０００２】
従来から、自動車から排出される排気ガス等の被測定ガス中の特定ガス成分の濃度に応じて電気的特性が変化するガスセンサ素子を備えたガスセンサが知られている。このガスセンサ素子では、排気ガス中の酸素等の濃度を検出して外部に出力する板状のガスセンサ素子本体を備えている。このガスセンサ素子本体は、例えば、ジルコニアを主体とする固体電解質基材により構成されている。また、この固体電解質基材は、温度が低いと活性化しないため、ガスセンサ素子本体に、これを加熱するための板状のヒータを積層し、全体として板状の形状を有する積層型の積層体が知られている。なお、ヒータは、例えば、アルミナを主体としたセラミック基板（絶縁層）と発熱抵抗体とから形成される。
【０００３】
さらに、上記のガスセンサ素子では、排気ガス中の水滴が付着した場合等におけるクラックの発生を防止するため、被測定ガスである排気ガスと接触する積層体の部分に、その外周を覆うようにセラミックからなる多孔質保護層を設けることが知られている。これは、多孔質保護層により水滴を分散させながら緩慢に浸透させていくことによって排気ガス中の水滴が付着した場合におけるクラックの発生を防止する機能を有する。特に板状のガスセンサ素子の場合に、各稜（以下角部と言う。）においてクラックが発生し易く、その角部に所望の厚さの多孔質保護層を設けることが必要となってくる。
【０００４】
ところで、上記のような多孔質保護層の形成方法としては、原料となるセラミック粉末等を分散させたスラリー中に積層体を浸漬させる所謂ディップによって形成する方法、また、積層体に対して溶射（プラズマ溶射）によって多孔質保護層を形成する方法が知られている（例えば、特許文献１参照。）。
【先行技術文献】
【特許文献】
【０００５】
【特許文献１】特開２００３−３２２６３２号公報
【発明の概要】
【発明が解決しようとする課題】
【０００６】
しかしながら、上記したようにディップによって多孔質保護層を形成した場合、多孔質保護層の厚みが不均一になり易い。特にガスセンサ素子の断面において角部における厚みが薄くなる傾向にあり、平面部の中央付近の厚みが厚くなる傾向がある。このため、ガスセンサ素子のクラックの防止のために角部に所望の厚さの多孔質保護層を形成すると、平面部の中央付近の厚さが必要以上に厚くなる場合がある。
【０００７】
そして、このように多孔質保護層の厚みが不所望に厚い部分があると、ヒータによる昇温時に熱がこの多孔質保護層に逃げるのでガスセンサ素子本体が活性するまでの時間（ライトオフタイム）が長くなるという問題やヒータの消費電力が増大するという問題が生じる。なお、ライトオフタイムとは、ヒータに通電を開始してからガスセンサが測定可能な状態となるまでに要する時間のことを指し、例えば一般的な酸素センサの場合、ガスセンサ素子が４５０℃に上昇するまでに要する時間を指す。
【０００８】
一方、溶射によって多孔質保護層を形成した場合、厚みはディップの場合に比べてやや均一に形成できるが、空孔率の制御が困難であり、特に空孔率を３０％以上とすることが困難である。そして、空孔率が低いと多孔質保護層により水滴を分散させながら緩慢に浸透させていくことによって排気ガス中の水滴が付着した場合等におけるクラックの発生を防止する機能を十分に発揮することができない場合がある。また、溶射の場合、実際にガスセンサ素子本体に被着するのは、噴出させた原料の一部であり、周囲に飛散して再利用が不能となる原料が多いため、原料が無駄に消費され、製造コストの増大に繋がるという問題もある。
【０００９】
本発明は、上記課題を解決するためになされたものである。本発明は、良好な多孔質保護層を形成することができ、従来に比べてライトオフタイムの短縮と信頼性の向上を図ることのできるガスセンサ素子及びその製造方法並びにガスセンサを提供することを目的とする。
【課題を解決するための手段】
【００１０】
本発明のガスセンサ素子の製造方法は、被測定ガス中の所定ガスの濃度に応じて電気的特性が変化するガスセンサ素子本体と、このガスセンサ素子本体を加熱するためのヒータとを積層させた軸線方向に延びる板状の積層体を有し、この積層体のうち少なくとも前記被測定ガスと接触することとなる先端面及び側周面を覆うように多孔質保護層が形成されたガスセンサ素子の製造方法であって、セラミック原料粉末を揮発性溶媒中に分散させたコート液を前記積層体にスプレーして未処理多孔質保護層を形成するスプレー工程と、この未処理多孔質保護層が形成された前記積層体を熱処理し、多孔質保護層を形成する熱処理工程とを含むことを特徴とする。
【００１１】
本発明のガスセンサ素子の製造方法においては、多孔質保護層を、セラミック原料粉末を揮発性溶媒中に分散させたコート液を積層体にスプレーして未処理多孔質保護層を形成するスプレー工程と、この未処理多孔質保護層が形成された積層体を熱処理する熱処理工程とによって形成することにより、ディップにより形成した場合に比べてその厚みを均一化することができる。これによって、クラックの発生を防止し得る角部の所望厚みを確保してその信頼性を向上させつつ、最大厚みが不所望に厚くなることを抑制してライトオフタイムの短縮化を図ることができる。また、空孔率の制御も容易にできるため、例えば３０％以上の空孔率を確保してクラックの発生を確実に抑制することができる。なお、熱処理工程は、積層体を形成するための焼成工程よりも低温度で処理を行っている。
【００１２】
前記揮発性溶媒としては、例えばエタノール及びメタノールの少なくともいずれか一方が含まれている溶媒を使用することができる。これにより、乾燥時間とスプレーの噴霧時間等を調整することで積層体の表面にコート液が付着した時点で揮発性溶媒が揮発し、乾燥したセラミック原料粉末が積層体の表面に形成できる。よって、乾燥したセラミック原料粉末の上に順次スプレーするようにして、乾燥工程を必要とせず連続的に所望の厚みの多孔質保護層を形成することができる。
【００１３】
上記スプレー工程では、積層体が軸線を中心として回転しつつ、積層体から所定間隔離れた位置から側周面に向かって一方向にスプレーを行うことが好ましい。多孔質保護層は水滴の付着によるクラックが発生しやすい積層体先端側の軸線方向に延びる角部（各側周面の稜）に形成する必要がある。この際、積層体を固定してその積層体の角部に向かってスプレーを行う場合には各角部に向かって複数のスプレーを行う必要があり、スプレー工程が複雑化する虞がある。しかしながら、積層体を回転させてスプレーを一方向から行うことで、複数のスプレーを行う必要がなくなり、スプレー工程の複雑化を防止することができる。さらには、回転速度、回転回数等を制御することにより、積層体の各角部に略均一の多孔質保護層を形成することができる。
【００１４】
さらに、上記スプレー工程は、積層体の先端面に向かってスプレーを行う第１スプレー工程と、第１スプレー工程の後、積層体の側周面に向かってスプレーを行う第２スプレー工程とを有することが好ましい。積層体先端側の側周面と先端面との稜においても、水滴の付着によるクラックが発生する虞がある。この際、まず先端面に向かってスプレーを行い、その後、側周面に向かってスプレーを行うことで、多孔質保護層をより均一に形成することができる。
【００１５】
一方、上記スプレー工程では、積層体が軸線を中心として回転しつつ、積層体から所定間隔離れた位置から先端面及び側周面に向かって一方向にスプレーを行うことが好ましい。これにより、一度に先端面及び側周面に未処理多孔質保護層を形成することができ、先端面及び側周面に形成する場合のスプレー工程の複雑化を防止することができる。
【００１６】
上記スプレー工程では、前回までのスプレー工程時に多孔質保護層の形成部位に付着しなかったセラミック粉末を、セラミック原料粉末と共に揮発性溶媒中に分散させることができる。これによって、原料が再利用でき、無駄に消費されることを抑制できる。
【００１７】
上記のガスセンサ素子の製造方法を用いて製造することにより、クラックの発生を抑制して信頼性を向上させつつライトオフタイムを短縮化したガスセンサ素子を得ることができる。
【００１８】
また、本発明のガスセンサ素子は、被測定ガス中の所定ガスの濃度に応じて電気的特性が変化するガスセンサ素子本体と、このガスセンサ素子本体を加熱するためのヒータとを積層させた軸線方向に延びる板状の積層体を有し、この積層体のうち少なくとも前記被測定ガスと接触することとなる先端面及び側周面を覆うように多孔質保護層が形成されたガスセンサ素子であって、前記多孔質保護層の厚みは、前記積層体の各角部から２０μｍ以上で、且つ該多孔質保護層の最大厚みをＡ（単位はμｍ）とし、該各角部のうち最小厚みをＢ（単位はμｍ）としたときＢ＋４００≧Ａであることを特徴とする。
【００１９】
このように、多孔質保護層が積層体の各角部から２０μｍ以上形成されることにより、多孔質保護層に付着した水滴が多数の気孔に分散しながら緩慢に浸透していき、角部に到達する前に水滴が分散されて素子本体に対する温度勾配を小さくし、積層体のクラックを防止することができる。なお、「角部」とは、２つの側周面によって形成される線状の稜だけでなく、例えば、２つの側周面をＲ形状で連結する曲面状の部分をも含めるものとする。また、「積層体の各角部から２０μｍ以上形成する」とは、ガスセンサ素子を軸線方向に垂直な断面を見たときに、積層体の角部と多孔質保護層の表面とに接して形成される仮想円の直径が２０μｍ以上とされることを意味する。
【００２０】
そして、多孔質保護層の最大厚みをＡ（単位はμｍ）とし、各角部のうち最小厚みをＢ（単位はμｍ）としたときにＢ＋２００≧Ａとなることで、多孔質保護層が不所望な厚さを有することを防止でき、ヒータによる昇温時の熱がこの多孔質保護層に逃げ、ガスセンサ素子本体が活性するまでのライトオフタイムが長くなることやヒータの消費電力が増大することを防止できる。多孔質保護層の最大厚みをＡ（単位はμｍ）とし、各角部のうち最小厚みをＢ（単位はμｍ）としたときにＢ＋４００＜Ａであれば、本発明の効果を得ることが難しい。なお、「各角部のうち最小厚み」は、上述した角部にできる最小の仮想円の直径を意味する。「多孔質保護層の最大厚み」とは、積層体の側周面から多孔質保護層の表面までの垂直方向の距離及び、上述した角部にできる仮想円の直径のうち、最大のものを意味する。
【００２１】
さらに、多孔質保護層の空孔率が３０％以上であることが好ましい。このように、多孔質保護層の空孔率が３０％以上であることで、多孔質保護層により水滴を分散させながら緩慢に浸透させていくことによって排気ガス中の水滴が付着した場合等におけるクラックの発生を十分に防止することができる。
【００２２】
また、本発明のガスセンサは、上記のガスセンサ素子を、主体金具に組み込んだことを特徴とする。このガスセンサによれば、多孔質保護層を良好な状態に形成することによって、従来に比べてライトオフタイムの短縮と信頼性の向上を図ることができる。
【発明の効果】
【００２３】
本発明のガスセンサ素子及びその製造方法並びにガスセンサによれば、良好な多孔質保護層を形成することができ、従来に比べてライトオフタイムの短縮と信頼性の向上を図ることができる。
【図面の簡単な説明】
【００２４】
【図１】本発明の実施形態に係るガスセンサ素子の要部構成を拡大して示す断面図。
【図２】図１のガスセンサ素子の構成を模式的に示す分解斜視図。
【図３】ライトオフタイムと多孔質保護層のコート厚みとの関係を示す図。
【図４】本発明の実施形態に係るガスセンサの構成を示す断面図。
【図５】本発明の実施形態に係るスプレー工程の流れを説明するための図。
【図６】本発明の実施形態に係るスプレー工程の概略構成を示す図。
【図７】本発明の他の実施形態に係るスプレー工程の概略構成を示す図。
【発明を実施するための形態】
【００２５】
以下、本発明の実施形態について図面を参照して説明する。
【００２６】
本発明の実施形態に係る積層型のガスセンサ素子１００を、図１及び図２を用いて説明する。図１は、全体形状が薄板状とされたガスセンサ素子１００の長手方向に直交する向きの断面を拡大して示すもので、その断面形状は、略９０度をなす角部３を４個有する矩形状である。図２は、図１のガスセンサ素子１００において、多孔質保護層４を除いた積層体Ａの構造を示す分解斜視図であり、ガスセンサ素子本体１と、ヒータ２とから構成されている。
【００２７】
上記ガスセンサ素子本体１は、例えば、安定化剤としてイットリア（Ｙ２Ｏ３）あるいはカルシア（ＣａＯ）を添加したジルコニア（ＺｒＯ２）系焼結体やＬａＧａＯ３系焼結体等から構成された酸素濃淡電池用固体電解質層（検出層）１１を備えている。
【００２８】
上記酸素濃淡電池用固体電解質層１１のヒータ２と面する側には、基準電極１３２が形成されている。また、酸素濃淡電池用固体電解質層１１の基準電極１３２と反対側に位置する面には、検知電極１３１が形成されている。これらの検知電極１３１及び基準電極１３２には、酸素濃淡電池用固体電解質層１１の長手方向に沿って導体リード部１３３及び１３４がそれぞれ延設されている。これらの電極１３１，１３２及び導体リード部１３３，１３４は、導電性物質、例えばＰｔ等から構成されている。
【００２９】
導体リード部１３３の末端は、保護層１２を貫通するスルーホール１７を介して、外部端子と接続されるための信号取出し用端子１９と接続される。また、導体リード部１３４の末端は、酸素濃淡電池用固体電解質層１１を貫通するスルーホール１５及び保護層１２を貫通するスルーホール１６を介して、外部端子と接続されるための信号取出し用端子１８と接続される。
【００３０】
また、保護層１２は、検知電極１３１の表面上形成され検知電極１３１自身を被毒から防護するための多孔質状の電極保護層５と、導体リード部１３３の表面上に形成され酸素濃淡電池用固体電解質層１１を保護するための強化保護層５２とを具備している。
【００３１】
一方、ヒータ２は、抵抗発熱体２１を備え、この抵抗発熱体２１は、絶縁性に優れるセラミック焼結体から構成される第１基層２２及び第２基層２３に挟持されている。この抵抗発熱体２１は、蛇行状に形成される発熱部２１２と、この発熱部２１２の端部とそれぞれ接続され、長手方向に沿って延びる一対のヒータリード部２１３とを有している。また、このヒータリード部２１３の発熱部２１２と接続される側とは反対側の端部は、第２基層２３を貫通する２つのスルーホール２３１を介して、外部回路接続用の外部端子と接続される一対のヒータ通電端子２３２とそれぞれ電気的に接続されている。
【００３２】
上記第１基層２２及び第２基層２３は、セラミック焼結体であれば特に限定されず、このセラミックとしては、例えば、アルミナ、スピネル、ムライト、ジルコニア等を使用することができる。これらのうちの１種のみを用いることもでき、また２種以上を併用することもできる。
【００３３】
抵抗発熱体２１としては、貴金属、タングステン、モリブデン等を使用することができる。貴金属としては、Ｐｔ、Ａｕ、Ａｇ、Ｐｄ、Ｉｒ、Ｒｕ、Ｒｈ等が挙げられ、これらのうちの１種のみを使用しても良いし、２種以上を併用しても良い。なお、抵抗発熱体２１は、耐熱性、耐酸化性等を考慮して貴金属を主体に構成することが好ましく、Ｐｔを主体に構成することがより好ましい。また、この抵抗体発熱体２１には、主体となる貴金属にセラミック成分を含有させると良い。このセラミック成分は、抵抗発熱体２１が埋設されることになるセラミック製の第１基層２２及び第２基層２３の主体となる成分と同成分を含有することが、固着強度の観点から好ましい。
【００３４】
また、抵抗発熱体２１において、発熱部２１２は通電により発熱する部位であり、リード部２１３は、外部から供給される直流電圧をこの発熱部２１２まで通電し自身はほとんど発熱しない部位である。これら発熱部２１２及びリード部２１３の形状は各々特に限定されないが、例えば、発熱部２１２をリード部２１３より幅細とし、リード部２１３より密なパターンとなるように蛇行させた形状を採用することができる。
【００３５】
そして、このようにガスセンサ素子本体１とヒータ２を積層して構成される積層体Ａのうちで測定対象ガスに晒される先端側の部分には、長手方向に延びる角部３のうち、ヒータ２の外側に位置する２つの角部３及びガスセンサ素子本体１の外側に位置する２つの角部３を含む周囲の全周に亘って、図１に示すように、多孔質保護層４が形成される。  
【００３６】
この多孔質保護層４は、その外側に付着した水滴を分散させながら緩慢に浸透させていくことによって、局部的に水滴による温度勾配が生じないようにし、クラックの発生を防止する機能を発揮する。
【００３７】
そして、クラックは角部３において多く発生する傾向がある。このため、角部３における多孔質保護層４の厚みを２０μｍ以上、更には５０μｍ以上とすることによって、ガスセンサ素子全体におけるクラックの発生を防止することが可能となる。
【００３８】
一方、多孔質保護層４の厚みが厚くなると、ヒータ２の熱が多孔質保護層４に多く逃げるようになり、ヒータ２に通電を開始してから所定温度となってガス濃度を測定可能な状態となるまでの時間、すなわちライトオフタイムが長くなってしまう。図３のグラフは、縦軸をライトオフタイム、横軸を多孔質保護層４の厚み（コート厚み）として、これらの関係を調べた結果を示すものである。なお、測定は、コート厚み０，１００，３００，４００，５００μｍについて行った。測定は、排気量２０００ｃｃのエンジンを回転数１２５０±５０ｒｐｍ、トルク６０±５Ｎ・ｍ、吸入負圧−４０±５ｋＰａで運転し、このエンジンに繋がれた内径５４ｍｍの排気管にガスセンサを取り付けて行った。この時の排気温度（排気管のエンジン側で測定）は、３５０±５℃であり、λ＝０．９と１．１を０．５秒毎に切り替えた。ヒータ印加電圧（Ｖｈ）は、バッテリ電圧相当を印加したものである。
【００３９】
そして、ヒータ電圧の印加を開始し、素子温度が上昇し、センサが活性化したとき（活性温度（約４５０℃）に達したとき）の時間をライトオフタイムとした。
【００４０】
図３に示されるように、多孔質保護層４の厚みが厚くなると、ライトオフタイムも長くなり、４００μｍから５００μｍ以上となると２次関数的に増大する。このため、多孔質保護層４の最大厚みは６００μｍ未満とすることが好ましく、更には５００μｍ未満とすることが好ましい。
【００４１】
そして、多孔質保護層４の厚みが不所望に厚い部分があると、ヒータ２の熱が多孔質保護層４に多く逃げるようになり、ヒータ２に通電を開始してからガスセンサ素子が活性するまでの時間であるライトオフタイムが長くなってしまう。そこで、多孔質保護層の最大厚みをＡ（単位はμｍ）とし、各角部のうち最小厚みをＢ（単位はμｍ）としたときにＢ＋４００≧Ａとなることで、多孔質保護層が不所望な厚さを有することを防止でき、ヒータによる昇温時の熱がこの多孔質保護層に逃げ、ガスセンサ素子本体が活性するまでのライトオフタイムが長くなることやヒータの消費電力が増大することを防止できる。
【００４２】
また、多孔質保護層４は、細孔の気孔を多数有するものであって、その空孔率は、３０％〜６０％の範囲内とすることがより好ましい。
【００４３】
空孔率を３０％〜６０％の範囲内にすることで、水滴等の分散効果が十分に得られると共に、多孔質保護層４内での温度が均一化され、基体ないし素子本体に及ぶ熱衝撃の緩和能力を高めることができる。なお、空孔率は４０％〜５５％の範囲にすることがより好ましい。上記空孔率は、多孔質保護層の断面をＳＥＭにて分析し、その分析によって得られた拡大写真より、単位面積当たりに占める空孔の面積の比率（％）として求めることができる。
【００４４】
なお、ガスセンサ素子１００の多孔質保護層４を含む全体の大きさは、長手方向の寸法３０ｍｍ〜６０ｍｍ、幅寸法２．５ｍｍ〜６ｍｍ、厚み１ｍｍ〜３ｍｍの範囲内に形成することが好ましく、本実施例では、長手方向の寸法約４０ｍｍ。幅寸法３ｍｍ、厚み約２ｍｍに形成されている。
【００４５】
図４は、上述したガスセンサ素子１００が組み込まれたガスセンサであり、具体的には内燃機関の排気管に取り付けられ、排ガス中の酸素濃度の測定に使用される酸素センサ６００の一例を示した全体断面図である。
【００４６】
図４に示す主体金具３０は、ガスセンサを排気管に取り付けるための雄ねじ部３１と、取り付け時に取り付け工具をあてがう六角部３２とを有している。また、主体金具３０には、径方向内側に向かって突出する金具側段部３３が設けられており、この金具側段部３３はガスセンサ素子１００を保持するための金属ホルダ３４を支持している。そしてこの金属ホルダ３４の内側にはガスセンサ素子１００を所定位置に配置するセラミックホルダ３５、滑石３６が先端側から順に配置されている。
【００４７】
この滑石３６は、金属ホルダ３４内に配置される第１滑石３７と、金属ホルダ３４の後端に渡って配置される第２滑石３８とからなる。そして第２滑石３８の後端側には、アルミナ製のスリーブ３９が配置されている。このスリーブ３９は多段の円筒状に形成されており、軸線に沿うように軸孔３９１が設けられ、内部にガスセンサ素子１００を挿通している。そして、主体金具３０の後端側の加締め部３０１が内側に折り曲げられており、ステンレス製のリング部材４０を介してスリーブ３９が主体金具３０の先端側に押圧されている。
【００４８】
また、主体金具３０の先端側外周には、主体金具３０の先端から突出するガスセンサ素子１００の先端部を覆うと共に、複数のガス取り入れ孔２４１を有する金属製のプロテクタ２４が溶接により取り付けられている。このプロテクタ２４は、二重構造をなしており、外側には一様な外径を有する有底円筒状の外側プロテクタ４１、内側には後端部４２１の外径が先端部４２２の外径よりも大きく形成された有底円筒状の内側プロテクタ４２が配置されている。
【００４９】
一方、主体金具３０の後端側には、外筒２５の先端側が挿入されている。この外筒２５は、先端側の拡径した先端部２５１を主体金具３０にレーザ溶接等により固定されている。外筒２５の後端側内部には、セパレータ５０が配置され、セパレータ５０と外筒２５の隙間に保持部材５１が介在している。この保持部材５１は、後述するセパレータ５０の突出部５０１に係合し、外筒２５を加締めることにより外筒２５とセパレータ５０とにより固定されている。
【００５０】
また、セパレータ５０には、ガスセンサ素子１００のリード線１１１〜１１４を挿入するための通孔５０２が先端側から後端側にかけて貫設されている（なお、リード線１１４は図示せず。）。通孔５０２内には、リード線１１１〜１１４とガスセンサ素子１００の外部端子とを接続する接続端子１１６が収容されている。各リード線１１１〜１１４は、外部において、図示しないコネクタに接続されるようになっている。このコネクタを介してＥＣＵ等の外部機器と各リード線１１１〜１１４とは電気信号の入出力が行われることになる。また、各リード線１１１〜１１４は詳細に図示しないが、導線を樹脂からなる絶縁皮膜にて被覆した構造を有している。
【００５１】
さらに、セパレータ５０の後端側には、外筒２５の後端側の開口部２５２を閉塞するための略円柱状のゴムキャップ５２が配置されている。このゴムキャップ５２は、外筒２５の後端内に装着された状態で、外筒２５の外周を径方向内側に向かって加締めることにより、外筒２５に固着されている。ゴムキャップ５２にも、リード線１１１〜１１４を挿入するための通孔５２１が先端側から後端側にかけて貫設されている。
【００５２】
本発明の実施例として、以下に説明する方法により、積層型のガスセンサ素子１００を製造した。
【００５３】
まず、イットリアの安定化剤を固溶させたジルコニア粉末にアルミナ粉末５０質量％を含有し、バインダ（ポリビニルブチラール）と共に混練した生素地を用いて、酸素濃淡電池用固体電解質層１１となるものであって、１０個の素子を切り出すことができる大きさの未焼成固体電解質シートを形成した。その後、未焼成固体電解質シートの所定位置に素子１０個分のスルーホール１５となる貫通孔を形成した。
【００５４】
次に、未焼成固体電解質シート（スルーホール１５となる貫通孔を含む）上の所定領域に、白金を主体とする導電ペーストを所定のパターンに印刷し、乾燥させて、検知電極１３１、基準電極１３２、導体リード部１３３、１３４となる導体パターンを形成すると共に、スルーホール１５となる貫通孔の内壁面に対して導電ペーストを施した。これにより、酸素濃淡電池素子用未焼成シートを得た。
【００５５】
次に、アルミナ粉末を、バインダ（ポリビニルブチラール）と共に混練した生素地を用いて、第２基層２３となる未焼成アルミナシートを形成し、素子１０個分のスルーホール２３１となる貫通孔を形成した。その後、第２基層２３となる未焼成アルミナシート（スルーホール２３１となる貫通孔を含む）の表裏面の所定領域に、前述と同様の導電ペーストを所定のパターン形状に印刷・乾燥し、抵抗発熱体２１、一対のヒータ通電端子２３２となる導電パターンを形成すると共に、スルーホール２３１となる貫通孔の内壁面に対して導体ペーストを施した。そして、第１基層２２となる未焼成アルミナシートを上記第２基層２３と同様な方法で作製し、この第１基層２２となる未焼成アルミナシートを第２基層２３となる未焼成アルミナシートの抵抗発熱体２１となる導体パターンが形成された面に積層・減圧圧着した。これにより、ヒータ２となるヒータ用未焼成シートを得た。
【００５６】
次に、酸素濃淡電池素子用未焼成シートと基体用未焼成シートとを積層し、さらに強化保護層５２となる未焼成アルミナシートを酸素濃淡電池素子用未焼成シートの上に積層するとともに、所定のアルミナ粉末と気孔化剤としてのカーボン粉末、ポリビニルブチラールからなるバインダ、分散剤を混合したスラリーを用いてシート化した電極保護層５となる電極保護層用未焼成シートを、酸素濃淡電池素子用未焼成シートの外部に露出した検知電極１３１となる導体パターン上に積層し、減圧圧着して組立体を得た。そして、この組立体を、未焼成積層体を形成すべく公知の手法により切断し、１０個の未焼成積層体を切り出した。そして、この未焼成積層体を大気雰囲気下にて脱脂し脱バインダ処理した後、１５００℃で１時間焼成して、積層体Ａを作製した。
【００５７】
その後、図５に示すように、スピネル粉末と、チタニア粉末を調合し、さらに揮発性溶剤としてのエタノールを加えて調合しコート液を得た。このコート液を、積層体にスプレーし、焼成後に多孔質保護層４となる未処理多孔質保護層を所定厚み、即ち平均厚みが１００μｍ、１５０μｍとなるよう形成し、乾燥させた。
【００５８】
スプレーは、図６に示すように、支持部材７００によって積層体Ａの後端側を支持した状態で、まず先端側からニードル式のノズルを用いたスプレー装置７０１によってスプレーして積層体Ａの先端部分にコート液を被着させた後（ａ）、積層体Ａを回転させつつスプレー装置７０１によって側方からスプレーして積層体Ａの側面部分にコート液を被着させた（ｂ）。なお、図６において、７０２は、周囲に飛散したセラミック粉末（コート液からエタノールが揮発したもの）を回収して再利用するための吸引装置を示している。この吸引装置７０２で回収されたセラミック粉末は再度エタノールに分散させることによって容易に再利用することができる。
【００５９】
この時、コート液に水ではなく、揮発性溶剤であるエタノールを使用しているので、乾燥時間と、回転速度等、スプレーの噴霧時間等を適宜選択することで積層体の表面にコート液が付着した時点で揮発性溶媒が揮発し、乾燥したセラミック原料粉末が積層体の表面に形成できる。これにより途中で乾燥時間を設けることなく、必要な厚みの未処理多孔質保護層を得ることができる。また、空孔率の調整も、例えばスプレー時のエアーの強度等によって容易に調整することができる。
【００６０】
また、上記のように方向を変えて２段階のスプレーを行うことにより、積層体Ａの先端部分及び側面部分の全面に均一に多孔質保護層４を形成することができる。また、先に先端部分に向けてスプレーを行うことにより、後にスプレーした側面側の層が、先端側の層の一部を覆うように形成され、この結果、先端側の層を剥がれ難くすることができる。
【００６１】
また、上記の先端側からと側方側からの２段階のスプレーに替えて、図７に示すように、これらの中間位置から斜めにスプレーする１段階のスプレーを行っても良い。
【００６２】
次に、この状態の積層体を大気雰囲気下にて昇温していき、最高温度１０００℃で１時間保持しつつ熱処理した後、空冷にて冷却して多孔質保護層４が形成された積層型のガスセンサ素子１００（図１参照）を得た。
【００６３】
上記の工程により、多孔質保護層４の平均厚みが１５０μｍとなるよう１０個の積層型ガスセンサ素子１００を作成した。これらの積層型ガスセンサ素子１００多孔質保護層４の厚みを測定した結果を表１に示す。この表１に示されるように、１０個の最大厚みは２３１μｍ、１０個の角部の最小厚みは５８μｍであり、多孔質保護層の最大厚みをＡとし、各角部のうち最小厚みをＢとしたとき、Ｂ＋４００≧Ａとなっている。また、この場合、最小厚みが、クラックの発生を抑制することのできる前述した好ましい範囲の２０μｍ以上となっている。
【００６４】
【表１】
2010164591.tif 000003
【００６５】
また、同様にして、多孔質保護層４の平均厚みが１００μｍとなるよう１０個の積層型ガスセンサ素子１００を作成した。これらの積層型ガスセンサ素子１００の多孔質保護層４の厚みを測定した結果を表２に示す。この表２に示されるように、１０個の最大厚みは１５７μｍ、１０個の角部の最小厚みは３９μｍであり、多孔質保護層の最大厚みをＡとし、各角部のうち最小厚みをＢとしたとき、Ｂ＋４００≧Ａとなっている。また、この場合、最小厚みが、クラックの発生を抑制することのできる前述した好ましい範囲の２０μｍ以上となっている。
【００６６】
【表２】
2010164591.tif 000004
【００６７】
そして、サンプル２についてのライトオフタイムを測定した。なお、測定については、上述したライトオフタイム評価方法について基づいた。すると、ライトオフタイムが９秒となった。一方、従来例として角部の最小厚みが８０μｍとなるようにディップにより形成した。なお、最大厚みは、４５０μｍとなった。そして、このときのライトオフタイムを測定した。すると、ライトオフタイムが１１秒となった。
【００６８】
以上のように、前述した多孔質保護層４の角部の厚み、即ち好ましくは２０μｍ以上、さらに好ましくは５０μｍ以上を確実に達成することにより、ガスセンサ素子若しくはガスセンサとしての信頼性を確保しつつ、多孔質保護層４の厚みが必要以上に厚くなることを抑制して、ライトオフタイムが長くなることを抑制することができる。
【００６９】
また、ディップによって多孔質保護層４を形成する場合は、必要な厚みを得るためには、複数回ディップと乾燥を繰り返して行う必要があり、工程に時間が掛かるが、スプレーの場合、１回のスプレー（数秒程度）で必要な厚さの多孔質保護層４を得ることができ、工程に要する時間の短縮を図ることができる。
【００７０】
以上において、本発明を実施形態に即して説明したが、本発明は上記実施形態等に限定されるものではなく、その要旨を逸脱しない範囲で、適宜変更して適用できることは言うまでもない。例えば、酸素センサ以外のガスセンサ、例えばＨＣセンサ、ＣＯセンサ、ＮＯｘセンサに使用する積層型ガスセンサ素子に対しても、上記と同様にして適用することができる。
【符号の説明】
【００７１】
１……ガスセンサ素子本体、２……ヒータ、３……角部、４……多孔質保護層、５……電極保護層、１１……酸素濃淡電池用固体電解質層、２１……抵抗発熱体、１００……ガスセンサ素子。
【図１】
2010164591.tif 000005
【図２】
2010164591.tif 000006
【図３】
2010164591.tif 000007
【図４】
2010164591.tif 000008
【図５】
2010164591.tif 000009
【図６】
2010164591.tif 000010
【図７】
2010164591.tif 000011
【手続補正書】
【提出日】平成22年5月21日(2010.5.21)
【手続補正２】
【補正対象書類名】明細書
【補正対象項目名】０００１
【補正方法】変更
【補正の内容】
【０００１】
本発明は、測定対象ガス中の特定ガス成分の濃度を検出するためのガスセンサ素子及びガスセンサに関する。
【手続補正３】
【補正対象書類名】明細書
【補正対象項目名】０００９
【補正方法】変更
【補正の内容】
【０００９】
本発明は、上記課題を解決するためになされたものである。本発明は、良好な多孔質保護層を形成することができ、従来に比べてライトオフタイムの短縮と信頼性の向上を図ることのできるガスセンサ素子及びガスセンサを提供することを目的とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明のガスセンサ素子は、被測定ガス中の所定ガスの濃度に応じて電気的特性が変化するガスセンサ素子本体と、このガスセンサ素子本体を加熱するためのヒータとを積層させた軸線方向に延びる板状の積層体を有し、この積層体のうち少なくとも前記被測定ガスと接触することとなる先端面及び側周面を覆うように多孔質保護層が形成されたガスセンサ素子であって、前記多孔質保護層の厚みは、前記積層体の各角部から２０μｍ以上で、且つ該多孔質保護層の最大厚みをＡ（単位はμｍ）とし、該各角部のうち最小厚みをＢ（単位はμｍ）としたときＢ＋４００≧Ａであることを特徴とする。
【手続補正１３】
【補正対象書類名】明細書
【補正対象項目名】００２３
【補正方法】変更
【補正の内容】
【００２３】
本発明のガスセンサ素子及びガスセンサによれば、良好な多孔質保護層を形成することができ、従来に比べてライトオフタイムの短縮と信頼性の向上を図ることができる。
【手続補正１４】
【補正対象書類名】特許請求の範囲
【補正対象項目名】全文
【補正方法】変更
【補正の内容】
【特許請求の範囲】
【請求項１】
被測定ガス中の所定ガスの濃度に応じて電気的特性が変化するガスセンサ素子本体と、このガスセンサ素子本体を加熱するためのヒータとを積層させた軸線方向に延びる板状の積層体を有し、この積層体のうち少なくとも前記被測定ガスと接触することとなる先端面及び側周面を覆うように多孔質保護層が形成されたガスセンサ素子であって、
前記多孔質保護層の厚みは、前記積層体の各角部から２０μｍ以上で、且つ該多孔質保護層の最大厚みをＡ（単位はμｍ）とし、該各角部のうち最小厚みをＢ（単位はμｍ）としたときＢ＋４００≧Ａであることを特徴とするガスセンサ素子。
【請求項２】
前記多孔質保護層の空孔率が３０％以上であることを特徴とする請求項１記載のガスセンサ素子。
【請求項３】
前記多孔質保護層の厚みは６００μｍ未満であることを特徴とする請求項１又は２記載のガスセンサ素子。
【請求項４】
請求項１〜３いずれか１項記載のガスセンサ素子を、主体金具に組み込んだことを特徴とするガスセンサ。